(57)【特許請求の範囲】
【請求項１】
有効表示領域を有する表示パネルと、
光学フィルムセットと、
導光板と前記導光板の側辺に近接する光源とを含む光源モジュールであって、前記光学フィルムセットは前記表示パネルと前記導光板との間に位置し、前記導光板の出光面が前記光学フィルムセットに向かう、光源モジュールと、
前記導光板と前記光学フィルムセットとの間に位置し、且つ前記導光板まで延びて前記導光板の一部を覆うゴムフレームであって、前記ゴムフレームは、前記光学フィルムセットが載置された第１の表面と、前記出光面に向かう第２の表面と、前記有効表示領域内に位置し、且つ前記第１の表面及び前記第２の表面に隣接する面取り斜面とを有し、前記第１の表面が前記有効表示領域内に延びる距離は前記第２の表面が前記有効表示領域内に延びる距離よりも短い、ゴムフレームと、を含み、
前記ゴムフレームの材質は、不透明材料又は半透明材料である、表示装置。
【請求項２】
筐体をさらに含み、前記表示パネル及び前記光学フィルムセットは前記ゴムフレームの前記第１の表面と前記筐体との間に制限され、前記導光板は前記ゴムフレームの前記第２の表面と前記筐体との間に制限される請求項１に記載の表示装置。
【請求項３】
前記光学フィルムセットは第３の表面を有し、前記第３の表面は前記表示パネルに向かっており、前記面取り斜面の延伸方向は、前記有効表示領域の境界の前記第３の表面における正投影を通る請求項１に記載の表示装置。
【請求項４】
前記ゴムフレームは前記面取り斜面において反射層を有する請求項１に記載の表示装置。
【請求項５】
前記出光面と前記光学フィルムセットとの間は間隔を有する請求項１に記載の表示装置。
【請求項６】
前記筐体は外フレームを含み、前記外フレームは枠部を含み、前記枠部は前記表示パネルの一部を覆っており、前記ゴムフレームは前記外フレームから前記有効表示領域の範囲へ延びて前記枠部外まで延びている請求項２に記載の表示装置。
【発明の詳細な説明】
【技術分野】
【０００１】
本発明は、表示装置に関し、特に光源モジュールを有する表示装置に関する。
【背景技術】
【０００２】
半導体産業及び相関電子産業の益々発展に伴い、携帯電話（mobile phone）、デジタルカメラ（digital camera）、デジタルビデオカメラ（digital video camera）、ノートブック（notebook）、デスクトップコンピュータ、薄型テレビ等のデジタル化ツールは全てより便利、多機能及び美観の方向に発展している。これらの製品を利用する際に、表示装置は不可欠なインターフェイスであり、上述した製品の表示パネルにより使用者の操作に対してより多い便宜をもたらすことが可能となる。そのうち、液晶表示装置はメインの表示パネルとなる。液晶表示装置そのものは発光の機能を有していないため、表示の機能を実現するように液晶表示装置の下方に光源を提供するためのバックライトモジュールを提供する必要がある。
【０００３】
側方入光式の光源モジュールは、殆ど導光板及び導光板の側辺に近接する複数の発光ダイオード素子を含む。現在の液晶表示装置は狭い枠の設計へだんだんと発展しており、狭い枠の設計要求を満たすため、導光板により提供された発光ダイオード素子の混光距離は必ず不足し、導光板の発光ダイオード素子に近接する箇所において輝度ばらつきの光点（hot spot）が現れやすい。この光点の問題点を改善するため、従来設計では液晶表示装置におけるゴムフレームは有効表示領域（表示パネルが文字、図形、映像を表示可能な総面積）の範囲に延びて、ゴムフレームが導光板を遮蔽して発光ダイオード素子の混光距離を増加することで、導光板の出光面において均一な光線を現すことができる。しかし、導光板から有効表示領域まで入射された光線がゴムフレームによりブロックされ、有効表示領域の境界部において暗帯（dark zone）が生じてしまう。
【０００４】
特許文献１には、導光板の非入光側に支持リブが設けられ、表示パネルが支持リブにより支持され、導光板に設けられるバックライトモジュールが開示されている。特許文献２には、発光源が発する光線をゴムフレームの反射面によって導光板へ反射する側方入光式のバックライトモジュールが開示されている。
【先行技術文献】
【特許文献】
【０００５】
【特許文献１】中国特許公開第ＣＮ１０２３５４０１４号明細書
【特許文献２】台湾特許公開第ＴＷ２０１２１５９５９号明細書
【発明の概要】
【発明が解決しようとする課題】
【０００６】
本発明は、表示面において暗帯が現れることを回避できる表示装置を提供することを目的とする。
【０００７】
なお、本発明の他の目的及びメリットは、本発明に開示されている手段から更に分かる。
【課題を解決するための手段】
【０００８】
上記本発明の目的の一つ、一部若しくは全部、又は他の目的を達成するため、本発明の一の実施例では、有効表示領域（active display area）を有する表示パネルと、光学フィルムセットと、導光板と前記導光板の側辺に近接する光源とを含む光源モジュールであって、前記光学フィルムセットは前記表示パネルと前記導光板との間に位置し、前記導光板の出光面が前記光学フィルムセットに向かう、前記導光板と前記光学フィルムセットとの間に位置し、且つ前記導光板まで延びて前記導光板の一部を覆うゴムフレームであって、前記ゴムフレームは、前記光学フィルムセットが載置された第１の表面と、前記出光面に向かう第２の表面と、前記有効表示領域内に位置し、且つ前記第１の表面及び前記第２の表面に隣接する面取り斜面とを有し、前記第１の表面が前記有効表示領域内に延びる距離は前記第２の表面が前記有効表示領域内に延びる距離よりも短い、ゴムフレームと、を含む表示装置を提供する。
【０００９】
本発明の一の実施例に係る表示装置は、筐体をさらに含み、前記表示パネル及び前記光学フィルムセットは前記ゴムフレームの前記第１の表面と前記筐体との間に制限され、前記導光板は前記ゴムフレームの前記第２の表面と前記筐体との間に制限される。
【００１０】
本発明の一の実施例に係る表示装置は、前記光学フィルムセットは第３の表面を有し、前記第３の表面は前記表示パネルに向かっており、前記面取り斜面の延伸方向は、前記有効表示領域の境界の前記第３の表面における正投影を通る。
【００１１】
本発明の一の実施例に係る表示装置は、前記ゴムフレームは前記面取り斜面において反射層を有する。
【００１２】
本発明の一の実施例に係る表示装置は、前記ゴムフレームの材質は透明材料を含む。
【００１３】
本発明の一の実施例に係る表示装置は、前記出光面と前記光学フィルムセットとの間は間隔を有する。
【００１４】
本発明の一の実施例に係る表示装置は、前記筐体は外フレームを含み、前記外フレームは枠部を含み、前記枠部は前記表示パネルの一部を覆っており、前記ゴムフレームは前記外フレームから前記有効表示領域の範囲へ延びて前記枠部外まで延びている。
【発明の効果】
【００１５】
本発明の各実施例では、ゴムフレームは導光板へ延びており、且つ導光板の一部を覆うことで、導光板の発光ダイオード素子に近接する箇所で現れた光点（光むら）を遮蔽することができ、光源の混光距離を増加して、導光板の出光面で均一な光線が現れる。有効表示領域の範囲まで延びているゴムフレームが光源モジュールの出光面積に影響を及ぼすこと、又は有効表示領域の境界部において暗帯が生じることを回避し、且つ使用者が光学フィルムセットから透き通って有効表示領域内まで延びているゴムフレームが見えることを回避するため、本発明は、ゴムフレームに面取り斜面を形成することで、ゴムフレームの光学フィルムセットを載置する第１の表面が有効表示領域内に延びる距離は第２の表面が有効表示領域内に延びる距離よりも短くなり、光源により発せられた光線が導光板の出光面から有効表示領域の境界部に到達する。従って、光源モジュールの出光面積がゴムフレームにより制限されず、有効表示領域の境界部には暗帯が生じにくく、表示装置の表示品質を向上することができる。
【図面の簡単な説明】
【００１６】
【図１】本発明の一の実施例に係る表示装置の局部を示す模式図。
【図２】図１の光源から発せられた光線の模式図。
【図３】図１の表示装置の局部拡大図。
【発明を実施するための形態】
【００１７】
本発明の上述した特徴及び優れた点をより明確に分かるように、図面を参照しながら、下記実施例に基づいて詳細に説明する。
【００１８】
上述した本発明に係る技術的内容、特徴及び効果は、以下の図面を参照しながら、好適な実施形態の詳細な説明に示されるように、明らかである。以下実施形態に言及される「上」、「下」、「左」、「右」、「前」、「後」等の方向の用語は、単なる図面を参照する際に、単なる方向を参考する説明用の用語であり、本発明は方向の用語に示されるものに限定されない。
【００１９】
図１は、本発明の一の実施例に係る表示装置の局部を示す模式図である。図１に示すように、本実施例に係る表示装置１００は、表示パネル１１０、光学フィルムセット１２０、光源モジュール１３０、ゴムフレーム１４０、及び筐体１５０を含む。表示パネル１１０は有効表示領域１１２を有する。光源モジュール１３０は導光板１３２及び光源１３４を含み、光源１３４は導光板１３２の側辺１３２ａに近接する。光学フィルムセット１２０は表示パネル１１０と導光板１３２との間に位置し、導光板１３２の出光面１３２ｂは光学フィルムセット１２０に向かっている。本実施例に係る表示装置１００は、例えば液晶テレビ、液晶モニター、又は他種の表示装置であってもよく、本発明はここに例示されたものに限定されない。
【００２０】
ゴムフレーム１４０は導光板１３２と光学フィルムセット１２０との間に位置することで、表示パネル１１０及び光学フィルムセット１２０はゴムフレーム１４０の第１の表面１４０ａと筐体１５０との間に制限され、導光板１３２はゴムフレーム１４０の第２の表面１４０ｂと筐体１５０との間に固定或いは制限（制限と総称される）される。具体的には、本実施例に係る筐体１５０は例えば外フレーム１５２、放熱シート１５４、及び背板１５６を含み、表示パネル１１０及び光学フィルムセット１２０はゴムフレーム１４０の第１の表面１４０ａと外フレーム１５２との間に制限され、導光板１３２はゴムフレーム１４０の第２の表面１４０ｂと放熱シート１５４との間に制限される。外フレーム１５２は枠部１５２ａを有し、枠部１５２ａは表示パネル１１０の一部を覆っている。具体的には、枠部１５２ａは表示パネル１１０の有効表示領域１１２以外の部分を覆っているが、本発明はここに例示されるものに限定されず、他の実施例では、筐体１５０は他の適当な形式の外殻であってもよい。
【００２１】
ゴムフレーム１４０の第１の表面１４０ａは光学フィルムセット１２０を載置し、且つゴムフレーム１４０の第２の表面１４０ｂは導光板１３２の出光面１３２ｂに向かっている。ゴムフレーム１４０は導光板１３２まで延びて導光板１３２の光源１３４に近接する一部を覆っており、且つゴムフレーム１４０は面取り斜面１４０ｃを有する。面取り斜面１４０ｃは有効表示領域内１１２に位置し、且つゴムフレーム１４０の第１の表面１４０ａ及び第２の表面１４０ｂに隣接する。図１に示すように、面取り斜面１４０ｃと第２の表面１４０ｂとの隣接箇所において斜角を有してもよいが、本発明はここに例示されるもので限定されず、他の実施例では、面取り斜面１４０ｃと第２の表面１４０ｂとの隣接箇所には斜角を有しなくてもよい。第１の表面１４０ａが有効表示領域１１２内に延びる距離Ｄ１は、第２の表面１４０ｂが有効表示領域１１２内に延びる距離Ｄ２よりも短い。一つの実施例では、図１に示すように、ゴムフレーム１４０は、外フレーム１５２から有効表示領域１１２の範囲へ延びて枠部１５２ａ外まで延びている。また、導光板１３２の側辺１３２ａは有効表示領域１１２内又は有効表示領域１１２外にあってもよく、本発明はここに例示されるものに限定されない。
【００２２】
ゴムフレーム１４０は導光板１３２まで延びており、且つ導光板１３２の一部を覆うため、ゴムフレーム１４０が導光板１３２を遮蔽することで光源１３４の混光距離を増加することができ、導光板１３２の出光面１３２ｂにおいて均一な光線が現れる。表示装置は狭い枠の設計により導光板が提供する光源混光距離が不足した場合は、上述した構成方法は混光距離が不足するという問題点を効果的に解決することができる。
【００２３】
本実施例では、ゴムフレーム１４０は導光板１３２と光学フィルムセット１２０との間に位置するため、導光板１３２の出光面１３２ｂと光学フィルムセット１２０との間は間隔Ｇを有する。従って、光源１３４が発する光線は、光学フィルムセット１２０に到達する前に、距離Ｇ内において十分に混光し、光の均一性が向上される。有効表示領域１１２の範囲まで延びているゴムフレーム１４０が光源モジュール１３０の出光面積に影響を及ぼすことを回避し、且つ使用者が光学フィルムセット１２０から透き通って有効表示領域１１２内まで延びているゴムフレーム１４０が見える、或いは有効表示領域１１２の境界部において暗帯が生じることを回避するため、本発明は、ゴムフレーム１４０に面取り斜面１４０ｃを形成し、ゴムフレーム１４０の光学フィルムセット１２０を載置する第１の表面１４０ａが有効表示領域１１２内に延びる距離Ｄ１は、ゴムフレーム１４０の導光板１３２の出光面１３２ｂに向かっている第２の表面１４０ｂが有効表示領域１１２内に延びる距離Ｄ２よりも短くすることで、光源１３４により発せられた光線が導光板１３２の出光面１３２ｂから有効表示領域１１２の境界部に到達し、使用者が光学フィルムセット１２０から透き通ってゴムフレーム１４０を見えにくくなる。従って、光源モジュール１３０の出光面積がゴムフレーム１４０により制限されず、有効表示領域１１２の境界部には暗帯が生じにくく、表示装置１００の表示品質を向上することができる。
【００２４】
図２は、図１の光源から発せられた光線の模式図である。図２に示すように、光源１３４は、例えば発光ダイオード（Light Emitting Diode: LED）モジュールであり、基板１３４ａ及び発光ダイオード素子１３４ｂを含む。発光ダイオード素子１３４ｂは基板１３４ａの上に配置され、且つ光線Ｌを発することができる。光線Ｌが導光板１３２の側面１３２ａから導光板１３２に入って、導光板１３２の出光面１３２ｂから光学フィルムセット１２０及び表示パネル１１０へ照射して、表示パネル１１０が画面を表示するに必要な光線を提供する。ゴムフレーム１４０は面取り斜面１４０ｃを有し、且つ第１の表面１４０ａが有効表示領域１１２内に延びている距離Ｄ１（図１に示される）は、第２の表面１４０ｂが有効表示領域１１２内に延びている距離Ｄ２（図１に示される）よりも短いため、導光板１３２の出光面１３２ｂから出射した光線（符号Ｌ’により示される光線）が面取り斜面１４０ｃに沿って有効表示領域１１２の境界部（即ち境界Ｂが位置する場所）へ照射することができる。
【００２５】
本発明の他の実施例では、光学フィルムセット１２０は第３の表面１２０ａを有し、第３の表面１２０ａは表示パネル１１０に向かっている。ゴムフレーム１４０の面取り斜面１４０ｃの延伸方向は、有効表示領域１１２の境界Ｂの第３の表面１２０ａにおける正投影Ｂ’を通ることによって、ゴムフレーム１４０の第１の表面１４０ａが有効表示領域１１２内において延びている距離は、導光板１３２の出光面１３２ｂから出射した光線が有効表示領域１１２の境界部まで照射することを確保することができる。他の実施例では、面取り斜面１４０ｃは他の適当な角度及び位置となるように設計してもよく、本発明はここに例示されるものに限定されない。また、本実施例に係るゴムフレーム１４０の材質は例えば透明材料であり、光源１３４が発する光源の一部がゴムフレーム１４０を透過して、光源モジュール１３０の出光効率及び出光面積をさらに向上する。他の実施例では、ゴムフレーム１４０の材質は不透明（透光性を有しない）材料又は半透明材料であってもよく、本発明はここに例示されるものに限定されない。
【００２６】
図３は、図１の表示装置の局部拡大図である。図２及び図３に示すように、本発明の他の実施例に係るゴムフレーム１４０は面取り斜面１４０ｃにおいて反射層１４２を塗布してもよい。面取り斜面１４０ｃへ照射する光線（図２の符号Ｌ’’により示される光線）が反射層１４２で反射されて光学フィルムセット１２０及び表示パネル１１０へ進めるため、光源モジュール１３０の出光効率を向上することができる。他の実施例では、ゴムフレーム１４０に反射層を設置しなくてもよく、本発明はここに例示されるものに限定されない。
【００２７】
以上のことから、本発明の上記実施例では、ゴムフレームは導光板へ延びており、且つ導光板の一部を覆うことで、導光板の発光ダイオード素子に近接する箇所で現れた光点（光むら）を遮蔽することができ、光源の混光距離を増大して、導光板の出光面で均一な光線が現れる。有効表示領域の範囲まで延びているゴムフレームが光源モジュールの出光面積に影響を及ぼすこと、又は有効表示領域の境界部において暗帯が生じることを回避し、且つ使用者が光学フィルムセットから透き通って有効表示領域内まで延びているゴムフレームが見えることを回避するため、本発明は、ゴムフレームに面取り斜面を形成することで、ゴムフレームの光学フィルムセットを載置する第１の表面が有効表示領域内に延びる距離は第２の表面が有効表示領域内に延びる距離よりも短くなり、光源により発せられた光線が導光板の出光面から有効表示領域の境界部に到達し、使用者が光学フィルムセットから透き通ってゴムフレーム１４０を見えにくくなる。従って、光源モジュールの出光面積がゴムフレームにより制限されず、有効表示領域の境界部には暗帯が生じにくく、表示装置の表示品質を向上することができる。
【００２８】
上記の説明は、本発明の好適な実施例に過ぎず、本発明の実施の範囲がこれらに限定されず、本発明の特許請求の範囲及び明細書の内容に基づいて、当業者によって何れの変更及び修飾が可能であり、本発明の保護範囲は特許請求の範囲を基準とする。また、本発明の実施例又は特許請求の範囲は何れも本発明により開示された目的又は利点又は特徴の全てを必ずしも実現する必要はない。また、要約部分と発明の名称は単に特許文献のサーチ作業を補助するためのものであり、本発明の権利範囲を限定するものではない。
【００２９】
また、本明細書又は特許請求の範囲における「第１の」、「第２の」等の用語は単なる部材（ｅｌｅｍｅｎｔ）の名称を命名する或いは異なる実施例又は範囲を区別するためのものであり、部材の数の上限又は下限を限定するものではない。
【符号の説明】
【００３０】
１００    表示装置
１１０    表示パネル
１１２    有効表示領域
１２０    光学フィルムセット
１２０ａ  第３の表面
１３０    光源モジュール
１３２    導光板
１３２ａ  側面
１３２ｂ  出光面
１３４    光源
１３４ａ  基板
１３４ｂ  発光ダイオード素子
１４０    ゴムフレーム
１４０ａ  第１の表面
１４０ｂ  第２の表面
１４０ｃ  面取り斜面
１４２    反射層
１５０    筐体
１５２    外フレーム
１５２ａ  枠部
１５４    放熱シート
１５６    背板
Ｂ        境界
Ｂ’      正投影
Ｄ１、Ｄ２  距離
Ｇ        間隔
Ｌ、Ｌ’、Ｌ’’  光線
【図１】
0005680136.tif 000002
【図２】
0005680136.tif 000003
【図３】
0005680136.tif 000004